(57)【要約】【課題】  安定して畝立具を取付可能でありながら、取付バーに畝立具を容易に着脱することができる畝立装置を提供する。【解決手段】  本発明の畝立装置１は、耕耘装置に取り付けられた取付バー３の任意の位置に着脱自在に取り付ける１または複数の取付金具１１と、取付金具１１に着脱自在に取り付ける１または複数の畝立具５とからなる。取付金具１１のソケット１４の挿入孔１４ａと畝立具５の挿入部２４の挿入本体２４ａはいずれも多角形状を有し、上面に平面を有することで挿入状態を固定することができる。【選択図】  図３
2020103114.tif 000002
【特許請求の範囲】
【請求項１】
耕耘装置に連結して畝立を行う畝立装置であって、
前記畝立装置は、前記耕耘装置に取り付ける水平方向の取付バーと、前記取付バーの任意の箇所に着脱自在に取り付け可能な一または複数の取付金具と、前記取付金具に着脱自在に取り付ける一または複数の畝立具とからなり、
前記取付金具は多角形状の挿入孔を有する筒状のソケットを設け、前記畝立具は前記挿入孔に着脱自在に嵌り込む多角形状の挿入部を設けたことを特徴とする畝立装置。
【請求項２】
取付金具は、両端を開放端とする取付バーの前記開放端から挿通可能な筒状連結部と、該筒状連結部を前記取付バーに挿通状態を任意の位置で固定可能な固定具とを有するものであって、
前記固定具は、固着具挿入面と押圧固定面と接続部とを有し、固着具の挿入により筒状連結部に挿入した取付バーの一面を押圧固定面が押圧して固定することを特徴とする請求項１記載の畝立装置。
【請求項３】
畝立具の挿入部は、前記ソケットの挿入孔に挿入する挿入本体と、該挿入本体と同じ長手方向を有する基端部とを有し、
前記基端部は表面から凹んだ凹部を形成し、前記凹部は前記ソケットの挿入孔に挿入された状態で貫通孔を通じて挿入される押圧具を受けて前記ソケットと前記挿入部との挿入状態を固定することを特徴とする請求項１、２のいずれかに記載の畝立装置。
【請求項４】
挿入孔及び挿入本体は正六角形状を有し、前記挿入孔の内側に所定範囲を有する被押付平面と、前記挿入本体に所定範囲を有する押付平面とを有することを特徴とする請求項１、２または３のいずれかに記載の畝立装置。
【発明の詳細な説明】
【技術分野】
【０００１】
本発明は、耕耘装置に連結する畝立装置に関する。
【背景技術】
【０００２】
従来から、耕耘装置に連結する畝立装置は存在した。特許文献１にかかる先行技術は、畝立器をスライドヒッチ耕耘装置に取り付けるに際して、畝立器に連結された取付軸をパイプ状受座に差込みセットピンにより適正取付位置にセットする構成を開示している。
【先行技術文献】
【特許文献】
【０００３】
【特許文献１】実開昭６２−１６７５０１号公報
【発明の概要】
【発明が解決しようとする課題】
【０００４】
ところが、このような畝立装置はセットピンのみで受座に対して取付軸を回り止めするため、左右方向にズレやガタツキを生じることがあった。また、取付軸及び受座それぞれのピン穴を互いに連通して、始めてセットピンを差込み可能となり、位置合わせなどで畝立器の着脱に手間がかかった。また、畝立器の取付が上下方向の軸によるものなので、畝立器の自重や作業状態により畝立器が抜け落ちてしまうおそれがあった。
【０００５】
しかも、先行技術における畝立装置は専ら単一の畝立器を用いるものであって、畝のピッチを考慮して複数の畝立器を取り付けることは想定しておらず、任意の位置に畝立器を取り付けることはできなかった。
【０００６】
そこで、本発明は、安定して畝立具を連結可能でありながら、畝立具を容易に着脱することができ、さらに任意の位置で畝立器を装着できる畝立装置を提供するものである。
【課題を解決するための手段】
【０００７】
本発明の畝立装置は、耕耘装置に連結して畝立を行う畝立装置であって、  前記畝立装置は、前記耕耘装置に取り付ける水平方向の取付バーと、前記取付バーの任意の箇所に着脱自在に取り付け可能な一または複数の取付金具と、前記取付金具に着脱自在に取り付ける一または複数の畝立具とからなり、前記取付金具は多角形状の挿入孔を有する筒状のソケットを設け、前記畝立具は前記挿入孔に着脱自在に嵌り込む多角形状の挿入部を設けたことを特徴とする。
【０００８】
また、取付金具は、両端を開放端とする取付バーの前記開放端から挿通可能な筒状連結部と、該筒状連結部を前記取付バーに挿通状態を任意の位置で固定可能な固定具とを有するものであって、前記固定具は、固着具挿入面と押圧固定面と接続部とを有し、固着具の挿入により筒状連結部に挿入した取付バーの一面を押圧固定面が押圧して固定することが好ましい。
【０００９】
また、畝立具の挿入部は、前記ソケットの挿入孔に挿入する挿入本体と、該挿入本体と同じ長手方向を有する基端部とを有し、前記基端部は表面から凹んだ凹部を形成し、前記凹部は前記ソケットの挿入孔に挿入された状態で貫通孔を通じて挿入される押圧具を受けて前記ソケットと前記挿入部との挿入状態を固定することが好ましい。
【００１０】
また、挿入孔及び挿入本体は正六角形状を有し、前記挿入孔の内側に所定範囲を有する被押付平面と、前記挿入本体に所定範囲を有する押付平面とを有することが好ましい。
【発明の効果】
【００１１】
請求項１記載の発明により、取付バーの任意の位置に取付金具を装着し、任意の位置に畝立具を取り付けることが可能になる。畝のピッチに合わせて、１〜５列程度の畝立具を装着して、作業を行うことが可能になる。また、ソケットの挿入孔と挿入部が多角形状を有することにより、畝立具の作業による揺れなどにより、畝立具がずれたりすることを防止し、円満な畝立を行うことが可能になる。
【００１２】
請求項２記載の発明により、取付金具を任意の位置で取付バーに取り付け、固定具により任意の位置で固定することができる。これにより、畝立具を任意の位置に取り付けることが可能になる。また、押圧固定面により取付バーを押圧して固定することで、ピン止めやボルト止めによって取付バーのボルト孔がなく、しかも、ボルト孔による破損を防止しつつ、任意の位置で固定することが可能になる。
【００１３】
請求項３記載の発明により、取付金具の押圧具により挿入孔と挿入部との挿入状態を強固に固定することができる。
【００１４】
請求項４に記載の発明により、畝立具を取り付けた状態で通常時にはその自重により挿入部の上面に形成された押付面が、挿入孔の内側上面に形成された被押付面に押し付けられて係合することで、畝立具の取付状態を固定することができる。
【図面の簡単な説明】
【００１５】
【図１】本発明の実施形態の畝立装置の全体正面図であって、トラクタ等の耕耘装置を除いた状態を示す。
【図２】取付金具の分解斜視図である。
【図３】取付金具と畝立具の取付状態を示す斜視図である。
【図４】畝立具の挿入部を示す一部拡大斜視図である。
【図５】ソケットと挿入部との挿入状態を示す一部縦断面図であって、挿入前の状態を示す。
【図６】ソケットと挿入部の挿入状態を示す一部縦断面図であって、挿入後の状態を示す。
【図７】畝立具の平面図である。
【図８】畝立具の側面図であって、一方の爪板と整形羽根を取り除いた状態を示す。
【図９】畝立具を取り付けた状態の全体側面図である。
【図１０】図１のＡ−Ａ線断面図である。
【図１１】図１の状態から畝立具を４つ取り付けた状態を示す正面図である。
【図１２】図１の状態から畝立具を５つ取り付けた状態を示す正面図である。
【発明を実施するための形態】
【００１６】
本発明の実施の形態について説明する。本発明の畝立機構は、トラクタ等の耕耘装置の後方に連結した畝立具により畝起こしなどの耕耘作業を行うものである。
【００１７】
本実施形態にかかる畝立装置１は、図１に示すように、耕耘装置の後方に取り付けられるスライドヒッチ６の後方若しくは下方に取り付けられるものである。畝立装置１は、スライドヒッチ６に着脱自在に取り付ける本体フレーム２と、本体フレーム２に取り付けられる取付バー３と、この取付バー３に着脱自在に取り付ける１または複数の畝立具５、５と、畝立具５、５を昇降させる昇降機構４とからなる。
【００１８】
本実施形態の畝立機構１は、取付バー３に３つの畝立具５、５を左右方向に等間隔に配置している。この畝立具５、５は、取付バー３の任意の位置に取り付ける取付金具１１、１１に取り付けるもので、３つの畝立具５、５を取り付ける場合には、その取付位置に取付金具１１、１１を取り付けて行う。畝立具５を３つ以外の１つや５つ等、任意の数を取り付ける場合には、その数の取付金具１１を取り付けることとなる。
【００１９】
取付バー３は、本体フレーム２に取り付けられ、水平方向であって耕耘装置の左右方向に所定長さを有する断面略正方形状の棒体である。取付バー３の長手方向中央において本体フレーム２と取り付けられており、左右の両端は何ら耕耘装置やスライドヒッチ等の部材に接続されていない開放端となる。この取付バー３の両端から畝立具５、５を取り付けるための取付金具１１、１１を挿入して取り付けることが可能になる。
【００２０】
本実施形態における取付金具１１は、図２、３に示すように、取付バー３に挿通する筒状の筒状連結部１２と、筒状連結部１２から前方に突出する突出部１３と、突出部１３の下側に接するように設けたソケット１４と、ソケット１４を側方から突出部１３に固定する側壁１５とからなる。
【００２１】
筒状連結部１２は左右方向の側方を開放した比較的短い筒形態である。筒状連結部１２の内周面は取付バー３の外周径より広く、筒状連結部１２の内周面に取付バー３の左右のいずれかの端から挿入して任意の位置に取り付けることができる。取付金具１１の筒状連結部１２は、取付バー３に挿入した状態で任意の位置で固定するための固定具１６を取り付けて固定する。
【００２２】
固定具１６は、取付金具１１とは別体の金具であり、略コの字状に形成されている。固定具１６は、ボルト等の固着具１６ｄを挿入するための固着具挿入面１６ａと、固着具挿入面１６ａと並行に伸びる押圧固定面１６ｃと、この固着具挿入面１６ａと押圧固定面１６ｃとを連結する接続部１６ｂを有する。固定具１６は、取付バー３の開放端から筒状連結部１２を挿入した状態で、押圧固定面１６ｃを取付バー３と筒状連結部１２との隙間に挿入する。そして、固着具挿入面１６ａに開口され、ねじ切りされた丸穴にボルト等の固着具１６ｄを螺入することで、押圧固定面１６ｃを、筒内に挿通した取付バー３の外周面に当接、押圧させ、筒状連結部１２が取付バー３に固定される。これにより、取付金具１１、１１が取付バー３の任意の位置に取り付け、その状態で固定することができる。
【００２３】
ピン止めや取付バー３に直接ネジ固定する場合には、ピン孔やネジ孔を取付バー３に開口しなければならず、任意の箇所に取り付けることはできない。しかも、これら取付バー３に開口した場合、開口部分に畝立作業による負荷がかかり、取付バーやピン等が破損したりする可能性もある。本実施形態の押圧固定面１６ｃを有する固定具１６を用いることにより、面と面との押圧固定により任意の位置で取り付けることができるのみならず、取付バー３やピンの破損を防止し、安定して固定することができる。
【００２４】
また、筒状連結部１２の上面には開口された覗き孔１９が形成されている。この覗き孔１９は、筒状のソケット１４の長手方向中心線の延長線上に形成されている。そのため、使用者は必要な畝ピッチを取付バー３にペン等で目印を記載し、その目印に合っているかどうか、覗き孔１９から視認が可能になる。
【００２５】
取付金具１１の突出部１３は、筒状連結部１２の前側の面からさらに前方に突出する水平板である。この突出部１３の下方に断面を六角形とする筒状のソケット１４が配置される。ソケット１４は上面が水平面となり、突出部１３と並行に並ぶように形成されている。ソケット１４は、所定の長さを有するが、後述する挿入部２４よりも若干長手方向に短く形成されている。
【００２６】
本実施形態の突出部１３は、筒状連結部１２の近くにボルト１８等の固着具を挿通可能な貫通孔１７を有している。貫通孔１７はソケット１４に挿入された挿入部２４の上部から押圧して挿入状態を維持、固定することができる。また、突出部１３の両側とソケット１４の両側となる幅方向は略同一となり、その両側に立設するように側壁１５、１５が配置される。側壁１５、１５の下縁はソケット１４の下面と略同一平面上としている。この突出部１３及び側壁１５、１５により、ソケット１４の固定を強固にしている。
【００２７】
上記側壁１５、１５はソケット１４の両側面を補強するものであり、片方の側面だけに形成されるものでもよい。また、挿入部２４のソケット１４への挿入状態の位置決めは、挿入部２４に形成される鍔２４ｂとソケット１４の開口面との係合によって行う。その他の実施形態として、側壁１５、１５は貫通孔１７よりもソケット１４側の位置で垂直部分１５ａ、１５ａを有し、この垂直部分１５ａ、１５ａと鍔２４ｂとの係合により位置決めをするものであってもよい。
【００２８】
次に、取付金具１１に挿入する挿入部２４を有する畝立具５について説明する。畝立具５は、図３、４に示すように、鋤形状の爪板２１、２１と、爪板２１、２１の下端を覆う底板２２と、爪板２１、２１の後方に延設する左右一対の整形羽根２３、２３と、爪板２１、２１の間の上部に設けた挿入部２４と、挿入部２４を支持する支持体２５（図８参照）とからなる。底板２２は前端に角を有する矩形の平板を３枚重ねて形成している。
【００２９】
爪板２１、２１は、鋤先を形成する平面視Ｖ字形状において、底板２２よりも内側に位置して底板２２に立設して固定している。爪板２１、２１は前端に鋭角を有して後方ほど左右外方に位置するとともに、後上方に向けて左右外方に傾斜している。また、爪板２１、２１の前端上部に上方及び前後方向に開口する開口部２６を有している。
【００３０】
２つの爪板２１、２１に囲まれる内部であって、開口部２６の近くに挿入部２４が配置される。挿入部２４を支持する支持体２５は、図７、８に示すように、底板２２から垂直に立設した支持柱２５ｂに、平板２５ａが支持され、この平板２５ａに挿入部２４が載置されて支持される。
【００３１】
平板２５ａの上に載置され、取付金具１１のソケット１４に挿入する挿入部２４について説明する。この説明において、図４に示すように、挿入部２４の開口部２６側を先端とし、他方端を基端として説明する。挿入部２４は、六角形状の棒体からなる挿入本体２４ａと挿入本体２４ａの長手方向を向いて両側方向に広がる鍔２４ｂを有し、その鍔２４ｂから挿入本体２４ａの長手方向にそって基端側に延長する基端部２４ｃが形成され、この基端部２４ｃの上表面には突出部１３の貫通孔１７からねじ込まれたボルト（押圧具）１８に合致するための凹部２４ｄが形成されている。
【００３２】
また、本実施形態と異なる実施形態として、図示しないが、凹部２４ｄは基端部２４ｃの上面ではなく、側面に形成されるものであってもよい。この場合、凹部２４ｄを押圧するようにねじ込まれるボルト１８は、ソケット１４に貫通孔が形成されていてもよく、ねじ込むために当該貫通孔にナットを溶着するものであってもよい。
【００３３】
挿入部２４の挿入本体２４ａの先端は、開口部２６が形成されていなければ爪板２１、２１が合わさる位置よりも若干基端側に位置するようにしている。このようにすることで、ソケット１４や側壁１５、１５との干渉を回避し良好な畝の形成をするようにしている。
【００３４】
図３に示すように、畝立具５は、挿入部２４の挿入本体２４ａを取付金具１１のソケット１４の挿入孔１４ａに挿入することで、取り付けることができる。挿入孔１４ａと挿入本体２４ａとは横断面形状が若干の隙間を有して同じ形状であり、挿入本体２４ａがソケット１４への挿入状態で回転することなく、ガタツキを防止して挿入状態を固定することができる。
【００３５】
また、図４、５、６に示すように、挿入本体２４ａは上面に所定の広さを有する上面２４ｅをもつ六角形状で、ソケット１４の挿入孔１４ａの内側上面１４ｂが水平面となる六角形状の穴を有する。本実施形態における所定の広さは、上面２４ｅの長手方向長さが取付バー３の幅方向長さより長く、上面２４ｅの幅方向長さは数ミリの径のボルト（押圧具）を受ける凹部２４ｄが形成可能な程度の幅を有する略長方形型となる広さを有する。
【００３６】
ソケット１４の挿入孔１４ａに挿入本体２４ａを挿入した状態では、挿入本体２４ａの周囲には微細な隙間を有するが、畝立部２の重みより挿入本体２４ａの先端側から基端側にかけて傾斜するような力が作用し、通常時の挿入本体２４ａの上面２４ｅ（押付平面）と挿入孔１４ａの内側上面１４ｂ（被押付平面）に係合して、挿入状態を固定することができる。これに加え、取付金具１１の貫通孔１７から挿入されたボルトを締め付けることで、挿入部２４の基端部２４ｃを押し付け、使用状態であってもさらに強固に固定することができる。
【００３７】
本実施形態において、ソケット１４（挿入孔１４ａ）と挿入部２４（挿入本体２４ａ）はいずれも六角形状の孔、棒としているが、これに限定するものではない。自重による係合を踏まえて、挿入部２４の上側に平面を有し、ソケット１４の内側上面及び内側下面に平面を有するものが好ましいが四角形状や八角形状であってもよい。また、挿入部２４の上側の平面による係合を踏まえて、逆三角形状やその他の形状であってもよい。
【００３８】
また、その他の実施形態として、ソケット１４（挿入孔１４ａ）と挿入部２４（挿入本体２４ａ）はいずれも六角形状の孔、棒としているが、挿入本体２４ａが六角形の頂点を最上部とした形態であってもよい。この場合、挿入孔１４ａの内側上面１４ｂ、１４ｂが切妻屋根状の斜面となる。
【００３９】
本発明は取付バー３の適宜の位置に取付金具１１、１１を取り付けることで、適宜の位置に畝立具５、５を取り付けることが可能になる。本実施形態で取付金具１１は、取付バー３の左右方向の中央に、本体フレーム２との間に設置されているが、この本体フレーム２の両側に取付金具１１、１１を１つずつ取り付けることで、３つの畝立具５、５を有することができる。また、図１２に示すように、畝立具５、５を５つ取り付ける狭いピッチの畝を形成する場合には、さらに取付金具１１、１１を取付バー３の両側から１つずつ取り付けることで可能になる。また、図１１に示すように、畝立具５、５を４つ取り付ける場合には、取り外しが比較的難しい本体フレーム２間にある取付金具１１を無視し、左右から２つずつの取付金具１１、１１を適宜間隔で取り付けることで達成でき、畝立具５、５を２つ取り付ける場合も同様に左右から１つずつの取付金具１１、１１を取り付けることで達成することができる。
【００４０】
また、本実施形態はトラクタの後方から畝立具５、５の挿入部２４、２４を差し込んで取り付けるものであるが、取付金具１１、１１のソケット１４、１４の形態や挿入部２４、２４の挿入方向の向きはこれに限定されない。例えば、取付バー３の長手方向に向けたソケット１４、１４と挿入部２４、２４を有するものや、取付バー３に取付金具１１、１１を取り付けたうえで、取付バー３とトラクタの間から畝立部５、５の挿入部２４、２４を差し込む形態であってもよい。更にソケット１４、１４と挿入部２４、２４の向きは水平方向に限定するものではない。完全な垂直方向であれば挿入本体２４ａの上面２４ｅと挿入孔１４ａの内側上面１４ｂとの係合による固定が達成し得ないが、上下方向に傾斜する程度のものまで排除するものではない。
【００４１】
次に、取付バー３が取り付けられる本体フレーム２、及び、本体フレーム２の上下揺動について説明する。図９、１０に示すように、本体フレーム２は、上下反転したＬ字形状の上アーム３１と、前後に長尺な搖動アーム３２と、取付金具１１を着脱自在に取り付ける左右に長尺な取付バー３とからなる。上アーム３１は前後に長尺な上辺部３１ａの前端にスライドヒッチ６に着脱自在で固定・保持する保持部３３を有し、上辺部３１ａの後部から下方に縦辺部３１ｂが突出している。縦辺部３１ｂは下部を前方に湾曲して、その下方先端に搖動軸３２ａを介して搖動アーム３２を搖動自在で支持している。
【００４２】
搖動アーム３２は前後長の中間を上アーム３１に支持される。搖動アーム３２はその前端に取付バー３を接続している。取付バー３は搖動アーム３２により上下に搖動する。畝立装置１は取付バー３を搖動して、取り付けた畝立具５、５の傾きを調整することができる。
【００４３】
昇降機構４は、図１０に示すように、上下に移動するネジ軸４２と、ネジ軸４２と噛み合うナット筒４３と、ネジ軸４２の高さを変更・操作するハンドル４４とからなり、本体フレーム２に設けている。ネジ軸４２はその上部を上アーム３１の上辺部３１ａ後端に貫通して固定して、上端にハンドル４４を取り付けている。ネジ軸４２はその下部をナット筒４３内に挿入して、ハンドル４４の操作によりナット筒４３に対して上下に移動自在で固定している。ナット筒４３はその下端を搖動アーム３２の後端に固定している。ネジ軸４２、ナット筒４３はピンにて支持され、その長さによる揺動に応じ、畝立具５、５の先端を揺動可能にしている。これにより、畝立具５、５の先端である鋤と地面との角度を調整することができる。
【符号の説明】
【００４４】
１…畝立装置、３…取付バー、５…畝立具、１１…取付金具、１２…筒状連結部、１３…突出部、１４…ソケット、１４ａ…挿入孔、１４ｂ…内側上面（被押付平面）、１５…側壁、１５ａ…垂直部分、１６…固定具、１６ａ…固定具挿入面、１６ｂ…接続部、１６ｃ…押圧固定面、１６ｄ…固着具、１７…貫通孔、１８…押圧具（ボルト）、２４…挿入部、２４ａ…挿入本体、２４ｂ…鍔、２４ｃ…基端部、２４ｄ…凹部、２４ｅ…上面（押付平面）。
【図１】
2020103114.tif 000003
【図２】
2020103114.tif 000004
【図３】
2020103114.tif 000005
【図４】
2020103114.tif 000006
【図５】
2020103114.tif 000007
【図６】
2020103114.tif 000008
【図７】
2020103114.tif 000009
【図８】
2020103114.tif 000010
【図９】
2020103114.tif 000011
【図１０】
2020103114.tif 000012
【図１１】
2020103114.tif 000013
【図１２】
2020103114.tif 000014